(57)【要約】【課題】歯科用診療ユニットのほぼ全機能を装備可能とする着脱式歯科診療ユニットを具える移動式歯科診療装置を提供せんとする。【解決手段】歯科診療に用いる複数の着脱可能な診療モジュールと、歯科診療に必要なエネルギーの供給を行う基幹部を含む基礎ユニットとから構成され、常設診療時は、該基礎ユニットに前記診療モジュールを装備して使用し、移動診療時には少なくとも前記診療モジュールの何れか一つ又は全部を使用し、可搬可能な移動型診療装置に再構成し得るようにする。【選択図】図１
2013085594.tif 000002
【特許請求の範囲】
【請求項１】
歯科診療に用いる複数の着脱可能な診療モジュールと、歯科診療に必要なエネルギーの供給を行う基幹部を含む基礎ユニットとから構成され、常設診療時は、該基礎ユニットに前記診療モジュールを装備して使用し、移動診療時には少なくとも前記診療モジュールの何れか一つ又は全部を使用し、可搬可能な移動型診療装置に再構成することを特徴とする移動式歯科診療装置。
【請求項２】
前記歯科診療に用いる複数の着脱可能な診療モジュールの制御信号及び／又はエネルギーの供給路は、基礎ユニットへの接続及び、他の診療モジュールへの接続が可能なように構成することを特徴とする請求項1記載の移動式歯科診療装置。
【請求項３】
前記診療モジュールを複数個組み合わせて集合モジュールを構成し、前記基礎ユニットまたは移動可搬装置に接続可能とすることを特徴とする請求項１および請求項２に記載の移動式歯科診療装置。
【請求項４】
前記診療モジュールまたは集合モジュールには水、エア、電気を供給する外部供給源を接続可能とすることを特徴とする請求項１乃至３に記載の移動式歯科診療装置。
【請求項５】
前記診療モジュールまたは集合モジュールは、カートに一体に搭載して可搬及び移動可能とすることを特徴とする請求項１乃至４に記載の移動式歯科診療装置。
【請求項６】
前記診療モジュールは少なくともエネルギーの供給手段を含むことを特徴とする請求項１乃至４に記載の移動式歯科診療装置。
【請求項７】
前記診療モジュールは少なくとも排水手段を含むことを特徴とする請求項１乃至４に記載の移動式歯科診療装置。
【請求項８】
前記診療モジュールは少なくとも移動式の診療椅子を含むことを特徴とする請求項１乃至４に記載の移動式歯科診療装置。
【請求項９】
前記移動診療は訪問歯科診療または災害時歯科診療とすることを特徴とする請求項１乃至８に記載の移動式歯科診療装置。
【発明の詳細な説明】
【技術分野】
【０００１】
本発明は歯科診療ユニットを備える移動式歯科診療装置、特に、訪問歯科診療や災害時歯科診療に最適な移動式歯科診療装置に関するものである。
【背景技術】
【０００２】
従来の歯科診療ユニットは図１５に示すようにユニット本体１００と診療椅子１０２とから成り、例えば水平方向に移動・回転自在な主アーム１０３の先端にドクター用診療テーブル本体１０４が固定され、タービン１０５やシリンジ１０６等の器材が具備されている。また、ユニット本体１００には患者のうがい用の給水装置１０１と、うがい鉢（スピットン）１０７とが具備され、アシスタントが治療の補助をする器材として、シリンジ１０８やバキューム１０９、排唾器具１１０などが具備されたハンガー部１１１を有するアシスタントテーブル１１２が設けられ、これも水平方向に移動・回転自在な補助アーム１１３の先端に固定されている。
更に、ユニット本体１００の底部には電気、水道、圧縮空気の供給源や排水管への接続を行う基幹部１１４およびこれに接続されたフットコントローラ１１５を具備する。また、図示されていないが、ユニット本体１００にはポールを介して無影灯が設けられている。
【０００３】
また、近年、高齢化社会の到来に伴い、歯科医が往診する機会が増加しており、往診時には携帯用歯科治療ユニット（例えば、特許文献１、特許文献２参照）が用いられている。
【０００４】
携帯用歯科治療ユニットは、歯科用ポータブルユニットとも称され、一般的な歯科用ユニットのような歯科患者用チェアはなく、ユニット部一体又はユニット部とバキューム部等に分離されているものがある。通常、無影灯は組み込まれていない。
【先行技術文献】
【特許文献】
【０００５】
【特許文献１】特開２００２−１６５８１７号公報
【特許文献２】特開２００１−２４５９０１号公報
【特許文献３】特開２００９−２１９７１８号公報
【発明の概要】
【発明が解決しようとする課題】
【０００６】
しかしながら、訪問歯科診療時には診療室に常設された歯科用ユニットとは別に往診用の可搬型歯科診療用ユニットを設備しなければならなかった。
【０００７】
一方、災害が発生した場合には、診療室に歯科用ユニットが設備してあっても、停電や断水などが発生すると、歯科用ユニットの駆動に必要な電気供給や水の供給ができなくなり、従って停電や断水などが復旧するまで、歯科用ユニットを作動させることができなかった。また避難救護所などで歯科診療の処置を行いたくても診療器材の手配が容易ではなかった。
【０００８】
このような状況を鑑み、歯科診療ユニットからドクター用診療テーブル本体のみを着脱自在にしたテーブル本体着脱式歯科診療ユニット（例えば、特許文献３参照）も提案されているが、このテーブル本体着脱式歯科診療ユニットは、歯科診療ユニットの全機能を提供することができないだけでなく、歯牙を切削するための必要最低限の機能すら十分に提供することができなかった。特に、主診療テーブル部にはドクターの使用する治療器材が中心に設備されているため、衛生士やアシスタントがサポートする器材がなく、歯科診療ユニットの全機能を提供するためには付属の設備を別に準備しなければならなかった。
【０００９】
また、テーブル部以外の付属の設備は歯科用診療ユニットの設備に付属したまま取り外して使用することができなかった。
【００１０】
本発明の目的は、係る問題点に鑑み、歯科用診療ユニットのほぼ全機能を装備可能とする着脱式歯科診療ユニットを具える移動式歯科診療装置を提供せんとするにある。
【課題を解決するための手段】
【００１１】
請求項１に記載の発明は、歯科診療装置において、歯科診療に用いる複数の着脱可能な診療モジュールと、歯科診療に必要なエネルギーの供給を行う基幹部を含む基礎ユニットとから構成され、常設診療時は、該基礎ユニットに前記診療モジュールを具備して使用し、移動診療時には少なくとも前記診療モジュールの何れか一つ又は全部を使用して、用途に応じて再構成可能に、かつ可搬可能な移動型診療装置にして使用することを特徴とするものである。
この発明によれば、常設診療時では通常の歯科診療ユニットとして使用が可能であるが、可搬持出しが必要な際、即ち、訪問歯科診療時又は災害時歯科診療時には、歯科用診療ユニットから必要に応じて、必要なモジュール化された歯科用器材（歯科診療ユニット）を取り外して、必要に応じて組み合わせることができ、往診用の可搬型歯科用ユニットを別設する必要がなくなる。
【００１２】
請求項２に記載の発明は、請求項１記載の歯科診療装置において、歯科診療に用いる複数の着脱可能な診療モジュールの制御信号及び／又はエネルギーの供給路は、基礎ユニットへの接続及び、他の診療モジュールへの接続が可能なように構成することを特徴とする。
この発明によれば、複数の診療モジュール同志の接続や、基礎ユニットと診療モジュールとの接続を行う際に特別な連結器具や複数の工具を必要とすることなく、制御部及び／又はエネルギーの供給路を接続することが可能となるため、診療先で容易に組立てることができる。
【００１３】
請求項３記載の発明は、請求項１および請求項２記載の歯科診療装置において、診療モジュールを複数個組み合わせることによって集合モジュールを構成し、基礎ユニットまたは移動可搬装置に接続可能とすることを特徴とする。
この発明によれば、診療モジュールを複数個組み合わせた集合診療モジュールとして、常設診療時の基礎ユニットへの着脱、及び移動診療時の移動診療装置への着脱が可能となり、集合診療モジュールごと装着が可能なため、診療先で容易に組立てることができる。
【００１４】
請求項４記載の発明は、請求項１乃至請求項３記載の歯科診療装置において、診療モジュールまたは集合診療モジュールには水、エア、電気を供給する外部供給源が接続可能とすることを特徴とする。
この発明によれば、診療モジュール又は集合診療モジュールに加えて、さらに外部の可搬型のエア供給源（コンプレッサ、酸素ボンベ、手動ポンプなど）や水タンク、バッテリー等に接続することが可能なため、用途に応じた可搬可能な歯科診療装置を構成し、震災時などの水、電気等の供給源がない場合でも対応することが可能となる。
【００１５】
請求項５記載の発明は、請求項１乃至請求項４記載の歯科診療装置において、診療モジュールまたは集合診療モジュールはカートに一体に搭載して可搬及び移動が可能とすることを特徴とする。
この発明によれば、診療モジュールまたは集合診療モジュールはカートに一体に搭載が可能となるため、可搬時の移動が容易となる。また診療時にはそのまま移動可能な診療器具として使用することができる。
【００１６】
請求項６記載の発明は、請求項１乃至請求項５記載の歯科診療装置において、診療モジュールは少なくともエネルギー供給手段を含むことを特徴とする。
この発明によれば、常設診療時の基礎ユニットに予め着脱自在なエネルギー供給手段を装着しておくことによって、移動診療時の移動診療装置への着脱が可能で移動先で速やかに使用することができる。
【００１７】
請求項７記載の発明は、請求項１乃至請求項６記載の歯科診療装置において、診療モジュールは少なくとも排水手段を含むことを特徴とする。
この発明によれば、常設診療時の基礎ユニットに予め着脱自在な排水手段を装着しておくことによって診療時の移動診療装置への着脱が可能で移動先で速やかに使用することができる。
【００１８】
請求項８記載の発明は、請求項１乃至請求項７記載の歯科診療装置において、診療モジュールは少なくとも移動式の診療椅子を含むことを特徴とする。
この発明によれば、常設診療時の基礎ユニットに予め移動式の診療椅子を装備しておくことによって、移動診療時の移動診療装置への装備が可能で移動先で速やかに使用することができるようになる。
【００１９】
請求項９記載の発明は、請求項１乃至請求項８記載の歯科診療装置において、前記移動診療が訪問歯科診療または災害時歯科診療であることを特徴とする。
この発明によれば、前記移動診療が訪問歯科診療または災害時歯科診療であっても容易に対応することができる。
【図面の簡単な説明】
【００２０】
【図１】図１は本発明歯科診療装置の常設診療時の形態を示す説明図
【図２】図２は基礎ユニットの構成例を示す説明図
【図３】図３はＤＩモジュールの構成を示す説明図
【図４】図４は本発明移動式歯科診療装置のエア回路を示す説明図
【図５】図５は椅子近傍に外部のエア供給源として、別に用意されたコンプレッサを装備した例を示す説明図
【図６】図６は小型コンプレッサの装備に代えて、酸素ボンベ（又は、小型プレッサ、或は手動ポンプ）を使用した例を示す説明図
【図７】図７ａはＤＩモジュール、水ボトル、フットコントローラ、及び酸素ボンベ（又は、小型プレッサ、或は手動ポンプ）をキャスターが装備された小型の収納カート内に搭載したカート一体型の例を示す説明図、図７ｂは小型収納カートを椅子モジュールと組み合わせた訪問施設型とカート一体型との組み合わせの例を示す説明図
【図８】図８はアシスタントテーブル部にバキュームモジュールを設けた例を示す説明図
【図９】図９はバキュームモジュールの回路図
【図１０】図１０はスピットンを移動診療時に、基礎ユニットから分離し、携帯用の台に載せて使用する例を示す説明図
【図１１】図１１は移動診療時の移動の手順を説明する説明図
【図１２】図１２ａは移動診療時の移動の手順を示す説明図、図１２ｂは診療時におけるＤＩモジュールおよびバキュームモジュールの設置方策を示す説明図
【図１３】図１３は移動式チェアを使用しない診療体系の場合の移動方法を示す説明図
【図１４】図１４は使用時は患者が寝ているベッドの両脇にＤＩモジュール用カートと、バキュームモジュール用カートを配置して使用する例を示す説明図
【図１５】図１５は従来の歯科診療ユニットの構成を示す説明図
【発明を実施するための形態】
【実施例１】
【００２１】
図１は本発明歯科診療装置の常設診療時の形態を示すものである。
図２は基礎ユニットの構成例を示す説明図である。
図１および図２に示すように、本発明歯科診療装置は基礎ユニット１及び複数の診療モジュールとによって構成する。
【００２２】
基礎ユニット１は移動診療時に診療に必要な診療モジュールを取り除いた状態で構成するものである。
どこまでを基礎ユニット１に設定するかどうかは、その形状、大きさ、構造に限定されるものではないが、少なくとも歯科診療を行ううえで必要なエネルギーの供給を行う基幹部２は含むものとする。
例えば、ドクター用診療テーブル３を保持する主アーム４や、診療テーブルの上下バランスを保つバランスアーム５を基礎ユニットにしても良いし、さらに、ドクター用診療テーブル３までを含めて基礎ユニット１にしても良い。
【００２３】
また、衛生士やアシスタントがドクターの診療を補助するためのアシスタントテーブル６を保持する補助アーム７を基礎ユニット１に含めても良い。このアシスタントテーブル６には、バキュームチップ８やシリンジ９等を具備し、ドクター用診療テーブル３とは、患者口腔を挟んで反対側に配置して使用するものである。
基礎ユニット１の基幹部２は診療室の床に常設され、更に、床に埋設されたエネルギーの供給手段や排水手段に接続可能な構造としている。基礎ユニット１の基幹部２へのエネルギーの供給手段としては、水道水、エアコンプレッサーからの圧縮空気、電源等がある。
【００２４】
水道水は、うがいの為のコップに給水する給水口１０への供給や、歯科診療時に使用する歯科用インスツルメント類に使われる水として供給される。
【００２５】
歯科用インスツルメント類（インスツルメントモジュール１１）には、エアタービン１２、スケーラ、マイクロモータ、シリンジ１３等があり、これらインスツルメントには診療時の患部の冷却等を目的として、水が使用されている。また診療時に基礎ユニット１から多目的に水の使用が可能なようにドクター用診療テーブル３の下部には、水ワンタッチジョイント（図示せず）も用意されている。
【００２６】
圧縮空気は、レギュレータにより一定圧力に調整されて、エアタービンやエアモータ、エアスケーラ等の動力源として供給されると共に、治療時に患部の清掃や冷却を行うシリンジにも供給される。また、診療時に基礎ユニット１から多目的にエアの使用が可能なようにドクター用診療テーブル３の下部には、エアワンタッチジョイント（図示せず）も設置されている。
【００２７】
電源は、歯科診療装置で照明として使用される無影灯（図示せず）や、診療椅子１４への電力供給、歯科用インスツルメント１１のマイクロモータやスケーラ、光重合器等への電力として供給される他、診療装置の制御用の電力としても供給される。
【００２８】
排水手段には、診療に使用されたうがい水などをスピットン１５から排水したもの、歯科診療時にバキュームチップから吸引された唾液などを、吸引時にセパレータ１６にかけ、液体と気体に分離して排水する機能を持たせるようにする。
【００２９】
モジュールについて：
図１に示すドクター用診療テーブル３には、モジュール化されたＤＩモジュール（デンタルインスツルメントモジュール）１７を着脱自在に接続する。このＤＩモジュール１７には、さらに歯科診療で使用するインスツルメントモジュールとして、エアタービン１２およびシリンジ１３のモジュールを接続する。インスツルメントモジュール１１には、エアタービン１２やシリンジ１３の他、マイクロモータ、スケーラ、光重合器、口腔内観察カメラ等があり、各種モジュールの接続部は同一仕様とし、どの診療モジュールをも接続可能なように構成している。これらインスツルメントモジュール１１をＤＩモジュール１７と組み合わせることによって集合診療モジュールを構成している。又、診療椅子１４にはタイヤ１８およびそのストッパー１９を設けている。更に、基幹部２にはフットコントローラ２０を接続配置する。
【００３０】
図３はＤＩモジュール１７の構成を示す説明図である。
インスツルメントモジュール１１として、エアタービン１２及びシリンジ１３のモジュールをＤＩモジュール１７に接続する。
【００３１】
更に、ＤＩモジュール１７には、基礎ユニット１に接続されているフットコントローラ２０のモジュールを接続することができる。また、水の外部供給源として水タンク２１をも接続できるようにする。これがため、エア供給源があれば、ＤＩモジュール１７は単体として可搬可能な移動型診療装置として再構成することができる。
【００３２】
図５は外部のエア供給源として、別に用意されたコンプレッサ２２を装備した例である。このコンプレッサ２２は電源があれば圧縮空気の供給を行うことができる。
【００３３】
また、患者が座る椅子モジュール１４としては、基礎ユニット１から椅子モジュール１４を取外して使用する。この椅子モジュール１４は椅子１４にタイヤ（キャスター）１８が装備されており（参考：ストレッチャー車椅子）、診療時にはストッパー１９を踏み込むことによってロックをかけ、椅子１４が移動しないような構造とする。また、椅子１４のロックは再踏み込み、またはストッパー１９を跳ね上げることによって解除することができるように構成する。或いは、ストッパー１９を踏み込むことでタイヤ１８を下方へ押し下げると共に椅子１４を上方へ押し上げて移動可能とし、再踏み込みでタイヤを上方へ押し上げると共に椅子１４を下方へ押し下げ、床に固定するようにしてもよい。これら構造により、施設訪問型の診療装置を実現することができる。
【００３４】
以下、図４を参照して本発明移動式歯科診療装置のエア回路について説明する。
回路（常設診療時）：
ＤＩモジュール１７にはエアワンタッチジョイント２３に接続するための接続チューブ２５及び水ワンタッチジョイント２４に接続するための接続チューブ２６を設けている。エアワンタッチジョイント２３は常設診療時に基礎ユニット１の診療テーブル３の下（図示せず）に設置し、ワンタッチ着脱自在な接続チューブ２５と接続し得るようする。同様に、水ワンタッチジョイント２４も診療テーブル３の下部（図示せず）に設置し、ワンタッチ着脱可能な接続チューブ２６と接続し得るようにする。
【００３５】
常設診療時には、診療室から供給されるエアはレギュレータ２７を介して最適な圧力に調整した後、フットコントローラ２０のドライブペダル２８を踏み込むことによって、タービン１２にエアを供給し、タービン１２を回転させるようにする。また、シリンジ１３にもエアを供給し得るようにする。
【００３６】
更に、診療室から供給される水はシャトル弁２９を開いてシリンジ１３に供給する。また、フットコントローラ２０に設けられた水切替弁３０を操作すると、タービン１２に水を供給し、エア回路のエアと混合してスプレー噴霧を行い得るようにする。水を供給しない場合は、チップエアとしてエアを噴霧する。さらに、シリンジ１３にも水を供給し、エアと混合させることができる。
【００３７】
回路（移動診療時）：
移動診療時には、ＤＩモジュール１７を分離する。エアワンタッチジョイント２３及び水ワンタッチジョイント２４は分離すると同時にシャトル弁２９が働き、ＤＩモジュール１７内の水は外部に逆流しないように構成する。移動先での診療時に先駆けて外部に接続されたコンプレッサ装備２２からのエアをＤＩモジュール１７に接続する。エアはレギュレータ２７を介し適正な圧力に調整して、開閉制御弁３１を開き、エアを水タンク内に充填する。これにより、圧縮されたエアによって水圧を発生した水はシャトル弁２９を開くことによってシリンジ１３及びタービン１２に水を供給し得るようにする。また、エアの供給は常設時のエア供給と同様に行うことができる。
【００３８】
図６は、小型コンプレッサ２２の装備に代えて、酸素ボンベ３２を使用した例を示す。酸素ボンベ３２を使用した場合には、コンプレッサ２２が不要な為、電力供給源が不要となる。また酸素３２ボンベではなく手動ポンプ３３によって空気を加圧することにより、水タンク２１内を加圧して、圧縮されたエアによって水圧を発生させても良い。更に、酸素ボンベ３２ではなく小型コンプレッサ２２を使用することもできる。
【００３９】
図７aはＤＩモジュール１７、水タンク２１、フットコントローラ２０、及び酸素ボンベ３２（又は、小型コンプレッサ２２、或は手動ポンプ３３）をキャスター３４が装備された小型の収納カート３５内に搭載したカート一体型の移動式歯科診療装置の例を示す。さらに、図７ｂはこの収納カート３５を椅子１４のモジュールと組み合わせた、訪問施設型およびカート一体型の移動式歯科診療装置の組み合わせの例を示す。
【００４０】
これらエネルギー供給のためのエネルギー供給路や歯科診療装置を制御するための制御信号は、エネルギー供給路及び制御信号伝達路の各入力部と出力部とを同一仕様に構成することにより、各モジュールは基礎ユニット１を介して接続可能となり、また、基礎ユニット１を介さずに各モジュール間で直接接続可能に構成することもできる。
【実施例２】
【００４１】
図８はアシスタントテーブル６に代えてバキュームモジュール３６を設けた例を示す。このバキュームモジュール３６は、基礎ユニット１（図２参照）のアシスタント側に設けられた補助アーム７に着脱自在に装着し、さらにバキュームモジュール３６の内部には、セパレータ３７やバキュームモータ３８を装備し、このセパレータ３７をホース３９、分岐接続部４０、フィルター（図示せず）を介してバキュームチップ４１やスピットン１５と、接続し得るようにする。バキュームチップ４１はバキュームモジュール３６のハンガー４２に設置すると共にバキュームモジュール３６の外壁にはバキュームチップ４１の作動をＯＮ／ＯＦＦするスイッチ４３を設ける。
図９は、バキュームモジュール３６の回路図である。バキュームモジュール３６はバキュームモータ３８を回転させることによってバキュームタンク４４内を陰圧にして、バキュームチップ４１やスピットン１５から吸引した液体や空気をセパレータタンク４５内で水と空気に分離して、空気は外部に排気し、液体はセパレータタンク４５内に溜める構造としている。溜まった液体は、決められた水量以上に溜まると、フロート４６を押し上げて、逆止弁４７を塞ぎ、水分がバキュームモータ３８のバキュームタンク４４に流れ込まないように構成している。
スピットン１５は常設診療時、基礎ユニット１のスピットン置台４８（図２参照）に搭載するが、移動診療時には、基礎ユニット１から分離し図１０に示すように携帯用の台４９に載せて使用することもできる。
【００４２】
図１１および図１２aは移動診療時の移動の手順を示す説明図である。図５に示した被災地訪問型のＤＩモジュール１７をコンプレッサ内臓の収納ケース５０の上に載置する。又、収納ケース５０の内部には水タンク２１およびフットコントローラ２０を収納する。更に、バキュームモジュール３６の上部にはスピットン１５を携帯用の台４９に乗せたまま搭載し、移動式チェア１４の座部に載置し、椅子１４に搭載した状態で車椅子仕様車に載せて移動することも可能である。収納ケース５０は収納カート３５の儘とすることもできる。
診療時には図１２ｂに示すようにＤＩモジュール１７とバキュームモジュール３６とは、そのまま床に置いて診療を行うか、移動式チェア１４に専用台５３を現地で取り付け、その上に置いて診療を行ってもよい。
【００４３】
図１３は移動式チェア１４を使用しない診療体系の場合の移動方法である。コンプレッサ内臓の専用カート５０に内装したＤＩモジュール１７とバキュームモジュール專用カート５１にバキュームモジュール３６を搭載しベルト５２などで連結して移動する。使用時は図１４に示すように患者が寝ているベッド５３の両脇にＤＩモジュール用カート５０と、バキュームモジュール用カート５１とを配置して診療を行う。
【符号の説明】
【００４４】
１  基礎ユニット
２  基幹部
３  ドクター用診療テーブル
４  主アーム
５  バランスアーム
６  アシスタントテーブル
７  補助アーム
８  バキュームチップ
９  シリンジ
１０  給水口
１１  インスツルメントモジュール
１２  エアタービン
１３  シリンジ
１４  椅子
１５  スピットン
１６  セパレータ
１７  ＤＩモジュール
１８  タイヤ
１９  ストッパー
２０  フットコントローラ
２１  水タンク
２２  小型コンプレッサ
２３  エアワンタッチジョイン
２４  水ワンタッチジョイント
２５  接続チューブ
２６  接続チューブ
２７  レギュレータ
２８  ドライブペダル
２９  シャトル弁
３０  水切替弁
３２  酸素ボンベ
３３  手動ポンプ
３４  キャスター
３５  収納カート
３６  バキュームモジュール
３７  セパレータ
３８  バキュームモータ
３９  ホース
４０  分岐接続部
４１  バキュームチップ
４２  ハンガー
４３  スイッチ
４４  バキュームタンク
４５  セパレータタンク
４６  フロート
４７  逆止弁
４８  スピットン置台
４９  携帯用の台
５０  収納ケース
５１  バキュームモジュール専用カート
５２  ベルト
５３  ベッド
１００  ユニット本体
１０１  給水装置
１０２  診療椅子
１０３  主アーム
１０４  診療テーブル本体
１０５  タービン
１０６  シリンジ
１０７  スピットン
１０８  シリンジ
１０９  バキューム
１１０  排唾器具
１１１  ハンガー部
１１２  アシスタントテーブル
１１３  補助アーム
１１４  基幹部
１１５  フットコントローラ
【図１】
2013085594.tif 000003
【図２】
2013085594.tif 000004
【図３】
2013085594.tif 000005
【図４】
2013085594.tif 000006
【図５】
2013085594.tif 000007
【図６】
2013085594.tif 000008
【図７】
2013085594.tif 000009
【図８】
2013085594.tif 000010
【図９】
2013085594.tif 000011
【図１０】
2013085594.tif 000012
【図１１】
2013085594.tif 000013
【図１２】
2013085594.tif 000014
【図１３】
2013085594.tif 000015
【図１４】
2013085594.tif 000016
【図１５】
2013085594.tif 000017